(57)【要約】【課題】ＬＥＤの点灯状態に変化を与えることによって、単なる所定色の照射によっては得られない美容効果が期待できる。【解決手段】人の肌に向けて光照射するＬＥＤ１０と、前記ＬＥＤ１０を駆動するための駆動電力を生成する駆動電力生成部２０と、前記駆動電力の波形形状の指示情報を入力するための波形形状指示部１３と、前記波形形状指示部１３から入力された波形形状の指示情報に基づき、前記駆動電力の波形形状を前記ＬＥＤ１０について交流駆動する波形に変更する波形形状変更部１２とを具備する。【選択図】図１
2018161380.tif 000002
【特許請求の範囲】
【請求項１】
人の肌に向けて光照射するＬＥＤと、
前記ＬＥＤを駆動するための駆動電力を生成する駆動電力生成部と、
前記駆動電力の波形形状の指示情報を入力するための波形形状指示部と、
前記波形形状指示部から入力された波形形状の指示情報に基づき、前記駆動電力の波形形状を前記ＬＥＤについて交流駆動する波形に変更する波形形状変更部と
を具備することを特徴とする肌美容器。
【請求項２】
前記駆動電力生成部には、複数の波形形状の駆動電力を生成する駆動電力生成回路が備えられていることを特徴とする請求項１に記載の肌美容器。
【請求項３】
複数の波形形状は、一定値の電力波形、サイン波、方形波、三角波、のこぎり波であることを特徴とする請求項２に記載の肌美容器。
【請求項４】
前記波形形状変更部は、駆動電力の波形の振幅、デューティ比、周波数の少なくとも一つを変更する回路を有することを特徴とする請求項１乃至３のいずれか１項に記載の肌美容器。
【請求項５】
前記ＬＥＤは、赤緑青のＬＥＤを１ユニットとして、１または複数のＬＥＤユニットが備えられ、
各ユニットの赤緑青のＬＥＤに同一の駆動電力波形を、同時にまたは異なる時間に与えることを特徴とする請求項１乃至４のいずれか１項に記載の肌美容器。
【請求項６】
前記ＬＥＤは、赤緑青のＬＥＤを１ユニットとして、１または複数のＬＥＤユニットが備えられ、
各ユニットの赤緑青のＬＥＤに異なる駆動電力波形を与えることを特徴とする請求項１乃至４のいずれか１項に記載の肌美容器。
【請求項７】
外部信号を入力する入力インタフェースと、
前記生成された駆動電力の波形をキャリアとして、前記入力インタフェースから入力される外部信号を変調信号として被変調信号を得る変調回路を備えることを特徴とする請求項１乃至４のいずれか１項に記載の肌美容器。
【請求項８】
前記入力インタフェースは、無線により信号を受信する無線受信部を含むことを特徴とする請求項７に記載の肌美容器。
【請求項９】
ＬＥＤは、顔の全面に亙る肌に対応するフルフェース面に、または、全身の肌に対応する全身対応面に、設けられていることを特徴とする請求項１乃至８に記載の肌美容器。
【発明の詳細な説明】
【技術分野】
【０００１】
この発明は、人の肌に向けてＬＥＤの光を照射するようにした肌美容器に関するものである。
【背景技術】
【０００２】
ＬＥＤによる光線は、従来植物へ照射すると成長が良好である、或いは、果実の甘みや旨味に影響を及ぼすなどの研究がなされている。そこで、人の肌にＬＥＤによる光線を照射すると美容に何等かの好的な結果を及ぼすことが期待される。
【０００３】
特許文献１には、ＬＥＤの光線により肌を照射するに際し、光の色を選択するものが開示されている。ただし、この特許文献１のものは、光照射の他に電極に高周波を流してマッサージ効果を得るものである。
【０００４】
また、特許文献２には、赤色と青色と緑色の発光素子に対し、それぞれ個別にまたは同時に１秒以上のいずれか固定、または変化する周期で緩やかに可変させる美容器が開示されている。これにより発光色と発光光度を変化させて、いやし効果を狙ったものである。
【０００５】
更に、特許文献３には、マッサージ振動装置の低周波発振回路の波形としてサイン波、方形波、三角波を選択できるようにすることが記載されている。
【先行技術文献】
【特許文献】
【０００６】
【特許文献１】特許第５８７２７１４号明細書
【特許文献２】特開２００４−２３７０４２号公報
【特許文献３】特開２０１５−８５１５０号公報
【発明の概要】
【発明が解決しようとする課題】
【０００７】
上記の特許文献１に記載の機器では、単に色を選択して照射するものであり、所定の色の照射によって所定の美容効果が期待されるとしているが、更なる効果が求められる。
【０００８】
また、特許文献２に記載の機器は、光を肌に照射するものではなく、肌には電流が流されるので、光によっては、いやし効果というよりも電流による刺激を緩和する効果が得られるものと言える。
【０００９】
更に、特許文献３においては、マッサージの振動に関して各種の信号によって変化を与え、ユーザの気分等に対応するものとなる可能性があるが、光を肌に照射するものではない。
【００１０】
本発明は、上記のような人の肌に向けてＬＥＤの光を照射するようにした肌美容器の現状に鑑みてなされたもので、その目的は、ＬＥＤの点灯状態に変化を与えることによって、単なる所定色の照射によっては得られない美容効果が期待できる肌美容器を提供することである。
【課題を解決するための手段】
【００１１】
本発明に係る肌美容器は、人の肌に向けて光照射するＬＥＤと、前記ＬＥＤを駆動するための駆動電力を生成する駆動電力生成部と、前記駆動電力の波形形状の指示情報を入力するための波形形状指示部と、前記波形形状指示部から入力された波形形状の指示情報に基づき、前記駆動電力の波形形状を前記ＬＥＤについて交流駆動する波形に変更する波形形状変更部とを具備することを特徴とする。
【００１２】
本発明に係る肌美容器では、前記駆動電力生成部には、複数の波形形状の駆動電力を生成する駆動電力生成回路が備えられていることを特徴とする。
【００１３】
本発明に係る肌美容器では、複数の波形形状は、一定値の電力波形、サイン波、方形波、三角波、のこぎり波であることを特徴とする。
【００１４】
本発明に係る肌美容器では、前記波形形状変更部は、駆動電力の波形の振幅、デューティ比、周波数の少なくとも一つを変更する回路を有することを特徴とする。
【００１５】
本発明に係る肌美容器では、前記ＬＥＤは、赤緑青のＬＥＤを１ユニットとして、１または複数のＬＥＤユニットが備えられ、各ユニットの赤緑青のＬＥＤに同一の駆動電力波形を、同時にまたは異なる時間に与えることを特徴とする。
【００１６】
本発明に係る肌美容器では、前記ＬＥＤは、赤緑青のＬＥＤを１ユニットとして、１または複数のＬＥＤユニットが備えられ、各ユニットの赤緑青のＬＥＤに異なる駆動電力波形を与えることを特徴とする。
【００１７】
本発明に係る肌美容器では、外部信号を入力する入力インタフェースと、前記生成された駆動電力の波形をキャリアとして、前記入力インタフェースから入力される外部信号を変調信号として被変調信号を得る変調回路を備えることを特徴とする。
【００１８】
本発明に係る肌美容器では、前記入力インタフェースは、無線により信号を受信する無線受信部を含むことを特徴とする。
【００１９】
本発明に係る肌美容器では、ＬＥＤは、顔の全面に亙る肌に対応するフルフェース面に、または、全身の肌に対応する全身対応面に、設けられていることを特徴とする。
【発明の効果】
【００２０】
本発明に係る肌美容器は、入力された波形形状の指示情報に基づき、ＬＥＤを駆動するための駆動電力の波形形状を前記ＬＥＤについて交流駆動する波形に変更するので、変更された前記ＬＥＤについて交流駆動する波形の駆動電力によりＬＥＤの点灯と消灯とが実行されることになり、所望のＬＥＤの点灯消灯パターンによって肌への光照射により肌美容への好的な結果を及ぼすことが期待される。
【図面の簡単な説明】
【００２１】
【図１】本発明に係る肌美容器の第１の実施形態のブロック図。
【図２】本発明に係る肌美容器の実施形態に備えられる第１駆動電力生成回路〜第５駆動電力生成回路により生成される駆動電力波形の一例を示す図。
【図３】本発明に係る肌美容器の実施形態によりデューティ比を変更した駆動電力波形の一例を示す図。
【図４】本発明に係る肌美容器の実施形態の変調回路による変調を説明するための波形の一例を示す図。
【図５】本発明に係る肌美容器の第２の実施形態のブロック図。
【発明を実施するための形態】
【００２２】
以下添付図面を参照して、本発明に係る肌美容器の実施形態を説明する。各図において同一の構成要素には、同一の符号を付して重複する説明を省略する。図１に、第１の実施形態に係る肌美容器のブロック図を示す。第１の実施形態に係る肌美容器は、ＬＥＤ１０を備えている。ＬＥＤ１０は、人の肌９０に向けて光照射するために、適当な容器やケースなどの壁面に植設されている。ＬＥＤ１０は、１素子であり、赤緑青のいずれか１色による発光が可能である。容器やケースなどを手に持ってＬＥＤ１０を肌９０に近付けて、或いは、容器やケースなどが固定である場合には人の肌をＬＥＤ１０へ近付けるように人の所要部位を移動等させる。
【００２３】
本実施形態の肌美容器は、上記のＬＥＤ１０に加えて電源回路１１、駆動電力生成部２０、波形形状変更部１２、波形形状指示部１３、入力インタフェース１４、変調回路１５を備える。電源回路１１は、駆動電力生成部２０、波形形状変更部１２、波形形状指示部１３、入力インタフェース１４、変調回路１５へ電力を供給する。
【００２４】
駆動電力生成部２０は、ＬＥＤ１０を駆動するための駆動電力を生成するものである。波形形状指示部１３は、上記駆動電力の波形形状の指示情報を入力するための例えばキーやスイッチなどにより構成される。波形形状変更部１２は、上記波形形状指示部１３から入力された波形形状の指示情報に基づき、上記駆動電力の波形形状を前記ＬＥＤについて交流駆動する波形に変更するものである。
【００２５】
上記駆動電力生成部２０には、複数（ここでは、５つ）の波形形状の駆動電力を生成する駆動電力生成回路が備えられている。５つの駆動電力生成回路は、第１駆動電力生成回路２１、第２駆動電力生成回路２２、第３駆動電力生成回路２３、第４駆動電力生成回路２４、第５駆動電力生成回路２５である。
【００２６】
第１駆動電力生成回路２１は、図２（ａ）に示すように一定値の電力波形（直流波形）を生成出力する。第２駆動電力生成回路２２は、図２（ｂ）に示すようにサイン波の電力波形を生成出力する。第３駆動電力生成回路２３は、図２（ｃ）に示すように方形波の電力波形を生成出力する。第４駆動電力生成回路２４は、図２（ｄ）に示すように三角波の電力波形を生成出力する。第５駆動電力生成回路２５は、図２（ｅ）に示すようにのこぎり波の電力波形を生成出力する。
【００２７】
波形形状指示部１３からは、キー操作などにより、上記一定値の電力波形、サイン波、方形波、三角波、のこぎり波のいずれかを選択する選択信号が波形形状変更部１２へ送ることができる。波形形状変更部１２は、選択信号に基づき第１駆動電力生成回路２１〜第５駆動電力生成回路２５のいずれかをオンとする。本実施形態において上記に示す電力波形の形状と波形の種類（５種類）としたが、これは一例に過ぎず、例えば、所定間隔で所定時間内にバーストが出現する波形等、所要により適宜な波形と適宜な数の種類が生成されるように構成することができる。そして、波形形状指示部１３によりこれらの電力波形のいずれかを選択する選択信号が出力され、波形形状変更部１２はいずれかの電力波形を生成させて、以下のように、波形の振幅、デューティ比、周波数の少なくとも一つ（信号のパラメータ）を変更する処理が行われる。
【００２８】
即ち、波形形状指示部１３からは、駆動電力の波形の振幅、デューティ比、周波数の少なくとも一つ（信号のパラメータ）を変更する指示信号を波形形状変更部１２へ送出することができる。波形形状変更部１２は、先にオンとした第１駆動電力生成回路２１〜第５駆動電力生成回路２５の一つへ制御信号を送り、駆動電力生成回路に設けられている増幅器のゲインのコントロール、発振周波数の変更コントロール、デューティ比の変更コントロールの少なくとも一つを行う。以上により、駆動電力生成部２０からは所望の駆動電力波形が出力される。
【００２９】
入力インタフェース１４は、外部信号を入力するためのものであり、音楽プレーヤーから音楽信号を信号線を介してプラグへ送出する場合に対応して、上記プラグを挿抜可能なアダプタにより構成することができ、その他の結合部品でも構成することができる。また、信号が有線または無線の送信回路から送信されるときには、インタフェースを無線の受信部（回路）により構成しても良い。
【００３０】
入力インタフェース１４には、変調回路１５が接続されており、変調回路１５は、駆動電力生成部２０において生成された駆動電力の波形をキャリアとして、上記入力インタフェース１４から入力される外部信号を変調信号として被変調信号を得る。被変調信号は、ＬＥＤへ供給される。本実施形態では、被変調信号によりＬＥＤ１０を駆動し、変調信号が音楽の信号であると、被変調信号がＬＥＤ１０を交流駆動する信号となり、ＬＥＤ１０が音楽に合わせて点滅することにより、同じ音楽を聴取している使用者は音楽に合わせて光刺激を受けている気分となることを狙っている。このため、基本的には振幅変調を採用することができる。勿論、上記の振幅変調に限定されず、音の上下（変調信号の振幅）をパルスのデューティ比に変換するパルス幅変調や、振幅変調とパルス幅変調を組み合わせたものを用いるなど、各種の変調方式を採用することができる。
【００３１】
波形形状指示部１３には、変調回路１５を動作させる（使用する）か否かの選択を示す制御信号を波形形状変更部１２へ送出するキー等が設けられている。変調回路１５を使用する制御信号が波形形状変更部１２へ到来すると、波形形状変更部１２は変調回路１５を動作可能な状態とする。一方、変調回路１５を休止状態とさせる制御信号が波形形状変更部１２へ到来すると、波形形状変更部１２は変調回路１５を動作不可能な状態とし、駆動電力生成部２０において生成された駆動電力の波形を通過させ、ＬＥＤ１０へ供給されるように制御を行う。
【００３２】
以上のように構成された第１の実施形態に係る肌美容器では、波形形状指示部１３から変調回路１５の使用不使用の指示と、一定値の電力波形、サイン波、方形波、三角波、のこぎり波のいずれかを選択するかを示す指示と、駆動電力の波形の振幅、デューティ比、周波数などのパラメータの指示が入力される。例えば、波形形状指示部１３から変調回路１５の不使用の指示があると、図２に示される一定値の電力波形、サイン波、方形波、三角波、のこぎり波のいずれかの電力波形であって、指示された振幅、デューティ比、周波数などに波形変更された電力波形が変調回路１５をそのまま通過して、ＬＥＤ１０へ供給される。ＬＥＤ１０は、供給された電力の波形によって所定値以上の電流と電圧が与えられたときに点灯し、電流と電圧が上記所定値未満では消灯する。
【００３３】
図３は、方形波の駆動電力波形において振幅、周波数は変えずに、デューティ比を５０％、２５％、７５％としたものを示す。上に凸のパルスにおいて、ＬＥＤ１０が点灯するものとする。すると、２５％、５０％、７５％の順で単位時間当たりの点灯割合が多くなり、単位時間当たりのトータル光量が多くなる。つまり、単位時間当たりのトータル光量が光強度とすると、デューティ比が大きくなるほど光強度の強い照射を行える。また、方形波のデューティ比によってＬＥＤ１０の１周期内の点灯時間と消灯時間が変化し、ＬＥＤ１０の明るさの変化となって見え、明るさの変化による使用者の気分変化も期待できる。
【００３４】
また、例えば、波形形状指示部１３から変調回路１５の使用の指示があると、図２に示される一定値の電力波形、サイン波、方形波、三角波、のこぎり波のいずれかの電力波形であって、指示された振幅、デューティ比、周波数などに波形変更された電力波形が変調回路１５に供給される。ここでは、図４（ａ）に示すような一定値の電力波形が選択されて、変調回路１５に供給されたものとする。
【００３５】
入力インタフェース１４には、図４（ｂ）に示すような音楽信号が変調信号として与えられたものとする。変調回路１５は、上記図４（ａ）に示す信号をキャリアとし、図４（ｂ）に示す変調信号により変調を行い、図４（ｃ）に示す被変調信号を得る。この被変調信号をＬＥＤ１０に駆動電力として供給する。ＬＥＤ１０は、供給された電力の波形によって所定値以上の電流と電圧が与えられたときに点灯し、電流と電圧が上記所定値未満では消灯する。
【００３６】
図４（ｂ）に示すような音楽信号は、使用者が聴取している音楽の信号とすることができる。従って、このような使用形態によれば、使用者は音楽に合わせて光刺激を受けている気分となり、リラックスした状況において肌への光刺激が行われる。これにより、光刺激の効果をより向上させることが期待できる。
【００３７】
図５に、第２の実施形態に係る肌美容器のブロック図を示す。この実施形態では、赤緑青のＬＥＤを１ユニットとして、１または複数のＬＥＤユニット８０１〜８０ｎが備えられる。ここでは、１つのＬＥＤユニット８０１のみについて赤色ＬＥＤ８１、緑色ＬＥＤ８２、青色ＬＥＤ８３が図示されているが、全てのＬＥＤユニット８０１〜８０ｎが同様に構成される。
【００３８】
この第２の実施形態に係る肌美容器では、第１の実施形態に係る肌美容器の回路構成に加えて、色制御部５０が設けられている。色制御部５０には、色指示部を兼用する波形形状指示部１３Ａから色指示情報が与えられる。色指示情報は、赤緑青の三原色だけでなく、三原色を混合させた任意の色を指示するものであっても良い。波形形状指示部１３Ａは、上記の色指示情報を与える以外は図１の波形形状指示部１３と同様の構成を有する。
【００３９】
上記色指示情報は、色制御部５０の制御部５１へ与えられる。色制御部５０には、赤色制御部５２、緑色制御部５３、青色制御部５４が備えられている。赤色制御部５２、緑色制御部５３、青色制御部５４には、変調回路１５の出力が与えられている。赤色制御部５２、緑色制御部５３、青色制御部５４は、ＰＷＭ変調回路により構成することができる。
【００４０】
制御部５１は、色指示情報を受け取ると当該色情報の色を実現させる混合比に応じて赤色制御部５２、緑色制御部５３、青色制御部５４へそれぞれＰＷＭ変調のパルス幅を指示する制御信号を送る。これにより、赤色制御部５２、緑色制御部５３、青色制御部５４は変調回路１５から出力される電力信号に対し、指示されたパルス幅によるＰＷＭ変調を行って電力を出力する。このＰＷＭ変調は、信号の凸部分内において行うものとすることができる。
【００４１】
赤色制御部５２の出力は、ＬＥＤユニット８０１〜８０ｎの赤色ＬＥＤ（赤色ＬＥＤ８１等）へ与えられる。緑色制御部５３の出力は、ＬＥＤユニット８０１〜８０ｎの緑色ＬＥＤ（緑色ＬＥＤ８２等）へ与えられる。青色制御部５４の出力は、ＬＥＤユニット８０１〜８０ｎの青色ＬＥＤ（青色ＬＥＤ８３等）へ与えられる。これにより、ＬＥＤユニット８０１〜８０ｎでは、第１の実施形態における点灯区間所望の色による発光がなされると共に、第１の実施形態における消灯区間では消灯となる。この第２の実施形態によれば、第１の実施形態の肌美容器による効果に加えて、異なる色照射毎に期待できる肌美容効果に合わせて所望の色を選択して肌への照射を行うことができ、使用者の希望に応えることが可能であるという効果がある。
【００４２】
上記第２の実施形態では、各ユニットの赤緑青のＬＥＤに異なる駆動電力波形を与えるようにしたが、各ユニットの赤緑青のＬＥＤに同一の駆動電力波形を同時に与えるようにしても良い。これにより、白色（無色）の発光による肌照射が可能となる。また、各ユニットの赤緑青のＬＥＤに同一の駆動電力波形を、異なる時間に与えるようにしても良い。例えば、０．３ｓｅｃづつ遅延させて赤緑青のＬＥＤに同一の駆動電力波形を供給すると、各色の点灯パターンが遅延時間分遅れて順次繰り返され、赤緑青の３色照射に期待できる肌美容効果を合わせ享受できる。
【００４３】
また、ＬＥＤ１０は、人の肌９０に向けて光照射するために、適当な容器やケースなどの壁面に植設されているものとしたが、更に、顔の全面に亙る肌に対応するフルフェース面に設けられていてもよい。具体的には、お面のような形状の板に、適当な数のＬＥＤやＬＥＤユニットを植設し、肌を照射するようにしても良い。或いは、ＬＥＤやＬＥＤユニットは、全身の肌に対応する全身対応面に、設けられていてもよい。具体的には、１辺が４０ｃｍ〜６０ｃｍ程度の、平板形状や凹面形状の板の前に、適当な数のＬＥＤやＬＥＤユニットを植設した日焼けマシーンのような形態とし、肌を照射するようにしても良い。更に、直径などが４０ｃｍ〜６０ｃｍ程度の、円盤形状や惰円盤形状の板の前に、適当な数のＬＥＤやＬＥＤユニットを植設した日焼けマシーンのような形態とし、肌を照射するようにしても良い。また、第１、第２の実施形態において、変調回路１５を削除して肌美容器を構成しても良い。
【符号の説明】
【００４４】
１０  ＬＥＤ
１１  電源回路
１２  波形形状変更部
１３  波形形状指示部
１３Ａ  波形形状指示部
１４  入力インタフェース
１５  変調回路
２０  駆動電力生成部
２１  第１駆動電力生成回路
２２  第２駆動電力生成回路
２３  第３駆動電力生成回路
２４  第４駆動電力生成回路
２５  第５駆動電力生成回路
５０  色制御部
５１  制御部
５２  赤色制御部
５３  緑色制御部
５４  青色制御部
８１  赤色ＬＥＤ
８２  緑色ＬＥＤ
８３  青色ＬＥＤ
９０  肌
８０１-８０ｎ  ＬＥＤユニット
【図１】
2018161380.tif 000003
【図２】
2018161380.tif 000004
【図３】
2018161380.tif 000005
【図４】
2018161380.tif 000006
【図５】
2018161380.tif 000007